(57)【要約】【解決手段】本発明は、電気通信ネットワーク内におけるユーザ装置（２）と遠隔サーバ（１２、１４、１５）との間の無線通信のためのデータベアラパラメータを設定させる方法であって、ユーザ装置（２）は、各々ＴＣＰ／ＩＰスタックを有する前記ＵＩＣＣ（４）と移動装置（６）とからなり、前記ＵＩＣＣ（４）は、ネットワーク側で、少なくとも一つのアプリケーションと接続することを意図された少なくとも一つのアプリケーションを組み込みその方法は以下の段階を有する。ＰＤＰコンテキストを起動または停止するために定義された特定の指示内のＰＤＰコンテキストパラメータを前記ＵＩＣＣが前記移動装置に送り、前記特定の指示を受信すると、前記移動装置がＰＤＰコンテキストの起動または停止の要請を前記特定の指示で受信されたパラメータとともにネットワークへ送信し、前記ＰＤＰコンテキスト要請を受信すると、前記ネットワークがＰＤＰコンテキストの起動またはＰＤＰコンテキストの停止のための確認を前記移動装置（６）へ送信し、前記移動装置（６）が前記確認を該ＵＩＣＣ（４）へ転送することを特徴とする前記方法に関する。【選択図】図２
2010537457.tif 000002
【特許請求の範囲】
【請求項１】
電気通信ネットワーク内におけるユーザ装置（２）と遠隔サーバ（１２、１４、１５）との間の無線通信のためのデータベアラパラメータをＵＩＣＣ（４）に設定する方法であって、
前記ユーザ装置（２）は、各々ＴＣＰ／ＩＰスタックを有する前記ＵＩＣＣ（４）と移動装置（６）とからなり、
前記ＵＩＣＣ（４）は、ネットワーク側の、少なくとも第２のアプリケーションと接続することを意図された少なくとも第１のアプリケーションを組み込み、
前記方法は、以下の工程によって特徴付けられ、
ＰＤＰコンテキストを起動または停止するために定義された特定の指示内のＰＤＰコンテキストパラメータを前記ＵＩＣＣ（４）が前記移動装置（６）に送る工程と、
前記特定の指示を受信すると、前記移動装置（６）がＰＤＰコンテキストの起動または停止の要請を前記特定の指示で受信されたパラメータとともにネットワークへ送信する工程と、
前記ＰＤＰコンテキストの要請を受信すると、前記ネットワークがＰＤＰコンテキストの起動またはＰＤＰコンテキストの停止のための確認を前記移動装置（６）へ送信する工程と、
前記移動装置（６）が前記確認を該ＵＩＣＣ（４）へ転送する工程とを有することを特徴とする方法。
【請求項２】
請求項１に記載の方法において、
前記移動装置（６）は、ＰＤＰコンテキストの起動または停止のいかなる状態変化も前記ＵＩＣＣ（４）に知らせ、関連する前記ＰＤＰコンテキストパラメータを前記ＵＩＣＣ（４）へ送る工程と、
前記ＵＩＣＣ（４）が、ＰＤＰコンテキスト関連イベントに登録しする工程と、
ＰＤＰコンテキストの状態変化が起こると、前記移動装置（６）は、新たな状態と関連するデータを有する通知をＵＩＣＣ（４）へ送る工程をさらに有することを特徴とする方法。
【請求項３】
請求項１に記載の方法において、
前記ＰＤＰコンテキストパラメータは、無線機構を用いて、前記ネットワーク側から動的に更新されることを特徴とする方法。
【請求項４】
請求項１に記載の方法において、
前記ＰＤＰコンテキストが前記ＵＩＣＣからの要請前に移動装置のアプリケーションのため既に起動している場合、および前記既に起動したＰＤＰコンテキストの現在のパラメータが前記ＵＩＣＣ（４）の要求に適合している場合、前記移動装置（６）は、前記ＵＩＣＣ（４）の余分な操作を回避するため、前記既に起動したＰＤＰコンテキストのパラメータをＵＩＣＣ（４）に通知することを特徴とする方法。
【請求項５】
請求項１に記載の方法において、
可能な限り多くのＵＩＣＣのアプリケーションに使用可能な優先ＡＰＮを定める工程と、
前記特定の指令内で、当該優先ＡＰＮ（他のどのＡＰＮのための可能性もある）の前記ＰＤＰコンテキストを可能な限り起動する前記特定の指示内で指示する工程と、
をさらに有することを特徴とする方法。
【発明の詳細な説明】
【技術分野】
【０００１】
本発明は、無線電気通信分野に関し、そしてユーザ装置（ＵＥ）と電気通信操作ネットワーク中に設置された複数の遠隔サーバ中の一つの遠隔サーバとの間のＴＣＰ／ＩＰ接続のためのデータベアラパラメータを設定する方法に関する。ここで、前記ユーザ装置（ＵＥ）は、ＵＩＣＣ（汎用集積回路カード）と、各々がＴＣＰ／ＩＰスタックを持つ移動装置（ＭＥ）と、からなる。
より詳細には、本発明は、ＵＩＣＣにデータベアラパラメータを設定させることを目指すものである。
【背景技術】
【０００２】
ＥＴＳＩ  ＳＣＰ（欧州電気通信標準化機構スマートカードプラットフォーム）第７版において、インターネット接続法を提供するＴＣＰ／ＩＰスタックにＵＩＣＣ（汎用集積回路カード）が搭載されることが予測されている。
【０００３】
現在まで、インターネット接続は、ＢＩＰ（ベアラ独立プロトコル）により提供され、該ＢＩＰ（ベアラ独立プロトコル）は、ＵＩＣＣ（汎用集積回路カード）に、異なる接続パラメータ（例えば、異なるベアラタイプやＱｏＳ等）を有する異なる遠隔サーバ（ゲートウェイ／ＡＰＮ）へそれぞれデータ接続をさせている。このような柔軟性は、事業者にとって、それぞれ対応する料金表を有するサービス／ゲートウェイを容易に設定することができるので、大変利便性がある。
【０００４】
現在のＴＣＰ／ＩＰインターネット接続仕様書（ＥＴＳＩ  ＴＳ  １０２  ４８３）には、ＵＩＣＣ（汎用集積回路カード）に設置されたアプリケーションによって使用されるデータ接続のパラメータ（ＰＤＰコンテキストパラメータ）を、ＵＩＣＣが移動装置（ＭＥ）に提供して、遠隔サーバを用いて通信する仕組みはない。ＵＩＣＣは、移動装置に遠隔サーバＩＰアドレスをしらせることができるだけである。その結果として、移動装置は、データ接続を確立するためにデフォルトパラメータを用いることになる。
【０００５】
ＴＣＰ／ＩＰ上のデータ接続によって、ＢＩＰ（ベアラ独立プロトコル）を欧州電気通信標準化機構スマートカードプラットフォーム（ＥＴＳＩ  ＳＣＰ）第７版のアプリケーションから新たなものに入れ替わることで、この新たな特徴は、少なくともベアラ独立プロトコル（ＢＩＰ）によって提供されるのと同じ性能／融通性を有することが望まれる。
【０００６】
さらに、ＰＤＰコンテキストは、（例えば、移動装置（ＭＥ）のアプリケーションのために起動化される）ＵＩＣＣ（汎用集積回路カード）からの要請前に起動化されることができる。これは、ＰＤＰコンテキストが（ＵＩＣＣのアプリケーションのためＰＤＰコンテキスト起動を要求する）ＵＩＣＣからのいかなる要請よりも、その前に起動させることができるということを意味する。以下の２つの場合が起こり得る。
【０００７】
移動装置（ＭＥ）が複合的なＰＤＰコンテキストの特徴を支援していない場合、さらなる（例えばＵＩＣＣからの）ＰＤＰ起動要請は、該支持されたＰＤＰコンテキストが既に起動されたものとして拒絶される。
【０００８】
移動装置（ＭＥ）が複合的なＰＤＰコンテキストの特徴を支援している場合、現在のＰＤＰコンテキストパラメータが既にＵＩＣＣ（汎用集積回路カード）の要求に適合していると、新たなＰＤＰコンテキストの起動は、必要とされなくなる。
【０００９】
よって、動作を向上させるため、余分な／無用な操作を回避するため、新たな通知機構が大変有用となる。
【発明の概要】
【発明が解決しようとする課題】
【００１０】
本発明の第１の目的は、無線ユーザ装置（ＵＥ）の移動装置に関連したＵＩＣＣ（汎用集積回路カード）に、拡張したパラメータを有するＧＰＲＳ／３ＧパケットサービスまたはＨＳＤＰＡ／ＵＴＲＡＮパケットサービスといったＴＣＰ／ＩＰプロトコルを用いて、データ接続（ＰＤＰコンテキストパラメータ）のためのベアラパラメータを、前記移動装置（ＭＥ）へ提供させることである。
【００１１】
本発明の第２の目的は、移動装置（ＭＥ）に、ＰＤＰコンテキスト（起動または停止）およびそれに関するパラメータの状態変化についていかなることでもＵＩＣＣ（汎用集積回路カード）へ通知させることである。
【００１２】
将来のＵＩＣＣ（汎用集積回路カード）の進展が予測されるため、すなわち、フラッシュメモリ技術によってＵＩＣＣの記憶容量が数ギガバイトに達することになり、より多くのアプリケーションがＵＩＣＣに導入されることが予測され、特に遠隔ネットワークデータサーバとの接続を要するアプリケーションが導入されると予測される。
【００１３】
このような事態によって、すべてのアプリケーションごとにＰＤＰコンテキストを頻繁に起動／停止することをＵＩＣＣ（汎用集積回路カード）が移動装置（ＭＥ）に要求することになる。
【００１４】
よって、本発明の第３の目的は、あまりにも多くの余計な操作を回避することでこの事態をより良く対処する方法を提供することである。
【課題を解決するための手段】
【００１５】
本発明の第１の目的は、以下の段階からなる方法により達成される。
ＰＤＰコンテキストを起動または停止するために定義された特定の指示内のＰＤＰコンテキストパラメータをＵＩＣＣ（汎用集積回路カード）が移動装置（ＭＥ）に送る。
前記特定の指示を受信すると、前記移動装置がＰＤＰコンテキストの起動または停止の要請を前記特定の指示で受信されたパラメータとともにネットワークへ送信する。
前記ＰＤＰコンテキスト要請を受信すると、前記ネットワークがＰＤＰコンテキストの起動またはＰＤＰコンテキストの停止のための確認を前記移動装置へ送信する。
前記移動装置が前記確認を該ＵＩＣＣへ転送する。
【００１６】
本発明の第２の目的は、さらに以下の段階からなる方法によって達成される。
前記移動装置は、ＰＤＰコンテキストの起動または停止のいかなる状態変化も前記ＵＩＣＣ（汎用集積回路カード）に知らせ、関連する前記ＰＤＰコンテキストパラメータを前記ＵＩＣＣへ送る。
前記ＵＩＣＣは、ＰＤＰコンテキスト関連イベントに登録する。
ＰＤＰコンテキストの状態変化が起こると、前記移動装置は、新たな状態と関連するデータを有する通知をＵＩＣＣへ送る。
【００１７】
本発明の第３の目的は、さらに以下の段階からなる方法によって達成される。
前記特定の指令内で、当該指定されたＡＰＮ（アクセスポイントネーム）のための前記ＰＤＰコンテキストを可能な限り起動するように指示する（すなわち、何らかの事情で当該ＰＤＰコンテキストが停止した場合、移動装置（ＭＥ）は、可能な限りはやく再起動する）。
【００１８】
本発明の他の特徴によれば、ＰＤＰコンテキストパラメータは、無線機構を用いてネットワーク側から動的に更新可能である。
【００１９】
本発明の好ましい実施形態として挙げられるのは、ＰＤＰコンテキストが前記汎用ＵＩＣＣ（汎用集積回路カード）からの要請前に移動装置のアプリケーションのため既に起動している場合、および前記既に起動したＰＤＰコンテキストの現在のパラメータが前記ＵＩＣＣの要求に適合している場合、前記移動装置は、前記ＵＩＣＣの余分な操作を回避するため、前記既に起動したＰＤＰコンテキストのパラメータをＵＩＣＣに通知することである。
【図面の簡単な説明】
【００２０】
後述の発明の開示ならびに後述の詳細な説明は、添付した以下の図面を併用することにより、さらに理解することができる。
【図１】図１は、本発明による方法が導入されたシステムを示す図である。
【図２】図２は、本発明による方法の主要なステップが描かれたフローチャートを示す図である。
【図３】図３は、本発明の特定の実施形態が描かれたフローチャートを示す図である。
【発明を実施するための形態】
【００２１】
図１は、ＵＩＣＣ（汎用集積回路カード）４と、移動装置（ＭＥ）６と、からなるユーザ装置（ＵＥ）２を概略的に示している。ＵＩＣＣ４および移動装置（ＭＥ）６のそれぞれの各々は、ＴＣＰ／ＩＰスタックを含む。ＵＩＣＣ４は、データを遠隔サーバ（この実施例では、それぞれ第１の遠隔サーバ１２および操作ネットワーク１６に設置された第２の遠隔サーバ１４を有する）とデータ交換する少なくとも第１のアプリケーション８（インターネットアプリケーション、操作アプリケーション１０またはその他）をさらに有する。移動装置（ＭＥ）６は、ルーティング／ネットワークアドレス変換モジュール１８をさらに有する。
【００２２】
第７版の前は、インターネットアプリケーション８または操作アプリケーション１０には、遠隔クライアント／サーバに接続するための移動装置（ＭＥ）−ＵＩＣＣ（汎用集積回路カード）のインターフェースについて、ベアラ独立プロトコル（ＢＩＰ）接続法が用いられていた。
【００２３】
ベアラ独立プロトコル（ＢＩＰ）は、ＵＩＣＣ（汎用集積回路カード）４の各アプリケーションへの操作ネットワーク１６の遠隔サーバを表示するＡＰＮ（アクセスポイントネーム）を関連付けることで、ＵＩＣＣ４に異なる接続パラメータ（例えば、異なるベアラタイプ、ＱｏＳ等）を有する異なる遠隔サーバへそれぞれデータ接続をさせている。
【００２４】
ＴＣＰ／ＩＰによるデータ接続によりベアラ独立プロトコル（ＢＩＰ）は第７版から新たなものに革新的に入れ替わるので、データ接続（主にＱｏＳ）やＰＤＰタイプパラメータ（すなわちＩＰ））の主要なベアラパラメータは、ＵＩＣＣ（汎用集積回路カード）４によってベアラ独立プロトコル（ＢＩＰ）以外のプロトコルを通して移動装置（ＭＥ）６に提供されることが望まれる。
【００２５】
本発明の１実施形態によれば、特定の指令、例えばＰＤＰコンテキスト要請設定は、ＰＤＰコンテキストを起動または停止させるために定義される。前記設定ＰＤＰコンテキスト要請設定の構造は、以下の表に与えられる。
【００２６】
【表１】
2010537457.tif 000003
【００２７】
対応する新たなＴＬＶデータオブジェクト：ＰＤＰコンテキストパラメータは、以下の表に与えられる。
【００２８】
【表２】
2010537457.tif 000004
【００２９】
ＰＤＰコンテキスト状態
「００」＝停止／停止化
「０１」＝起動／起動化
「１１」＝「常にオン」または「永続的」として起動／起動化
他の値は、ＲＦＵである（将来の使用のため保存される）。
【００３０】
ベアラタイプ
「０１」＝ＧＰＲＳ／３Ｇパケットサービス
「０２」＝拡張されたパラメータ／ＨＳＤＰＡを有するＵＴＲＡＮパケットサービス
他の値は、ＲＦＵである。
【００３１】
ベアラパラメータ（ＧＰＲＳ／３Ｇパケットサービスのための例）
Ｘ＝６バイト
バイト２：先行クラス
バイト３：遅延クラス
バイト４：信頼性クラス
バイト５：ピークスループットクラス
バイト６：平均スループットクラス
バイト７：パケットデータプロトコルタイプ：「０２」＝ＩＰ（インターネットプロトコル）
【００３２】
ＩＰアドレスのタイプ
−「２１」＝ＩＰｖ４アドレス
−「５７」＝ＩＰｖ６アドレス
【００３３】
ＩＰアドレス
ＩＰアドレスのタイプがＩＰｖ４の場合、バイト（Ｘ＋６）のビット８は、ＩＰアドレスの最も重要なビットを表し、バイト（Ｘ＋９）のビット１は、重要度の最も低いビットを表す。
【００３４】
ＩＰアドレスのタイプがＩＰｖ６の場合、バイト（Ｘ＋６）のビット８は、ＩＰアドレスの最も重要なビットを表し、バイト（Ｘ＋２１）のビット１は、重要度の最も低いビットを表す。
【００３５】
さらに、新たな指令「設定ＰＤＰコンテキスト応答」は、以下のように定義される。
【００３６】
【表３】
2010537457.tif 000005
【００３７】
結果（２バイト）：
【００３８】
第１バイトのコーディング：
−「００」＝成功した指令
−「０１」＝部分的に理解された指令
−「０２」＝不明情報を有する指令
−「２０」＝指令を現在処理できない移動装置６
−「２１」＝指令を現在処理できないネットワーク
−「２２」＝ユーザが指令を受信しなかった
−「３０」＝移動装置６の容量を超えた指令
−「３１」＝移動装置６によって理解されない指令タイプ
−「３２」＝移動装置６によって理解されない指令データ
【００３９】
第２バイトのコーディング：
第１バイトが「３Ｘ」の場合、移動装置６は第２バイトの故障原因を示してもよい。
【００４０】
さらに、新たなイベント登録指令は、以下のように定義される。
【００４１】
【表４】
2010537457.tif 000006
【００４２】
本発明によれば、イベントリストは、以下のように定義される。
【００４３】
【表５】
2010537457.tif 000007
【００４４】
イベント：
−内容：さまざまな長さのイベントのリスト。リストの各バイトはイベントを定義する。各イベントタイプは、リスト内で２回以上現れない。
−コーディング：イベントリスト内の各バイトは、以下の値の内の１を用いてコーディングされる。
−「００」＝ＭＴコール
−「０１」＝接続されたコール
−…
−「１０」＝フレーム情報の変化
−「３０」＝ＰＤＰコンテキスト状態
【００４５】
ＵＩＣＣ（汎用集積回路カード）４は、いかなるＰＤＰコンテキスト状態変化についても移動装置６に通知されるため、イベント登録指令を用いてＰＤＰコンテキスト状態に登録する。
【００４６】
移動装置６は、上記のように定義された「ＰＤＰコンテキストパラメータ」データオブジェクトを含めてイベント通知指令（以下で定義される新たな指令）を（ＵＩＣＣが直前に記されたイベントにすでに登録している場合）ＵＩＣＣ（汎用集積回路カード）に送る。
【００４７】
加えて、新たなイベント通知指令は、以下のように定義される。
【００４８】
【表６】
2010537457.tif 000008
【００４９】
−イベントリスト：イベントリストオブジェクトは、ＰＤＰコンテキスト状態イベントを包含する。
【００５０】
−ＰＤＰコンテキストパラメータは、Ａ部で記したようにＰＤＰコンテキストデータを包含する。
【００５１】
ＵＩＣＣ（汎用集積回路カード）のアプリケーションのための「常にオン」または「永続的」ＰＤＰコンテキストの導入：
ＰＤＰコンテキストを「常にオン」または「永続的」ＰＤＰコンテキストとして起動させるため（すなわち、移動装置（ＭＥ）ができる限りＰＤＰコンテキストを起動し続けるため）、ＵＩＣＣは、「ＰＤＰコンテキストパラメータ」データオブジェクトの「ＰＤＰコンテキスト状態」パラメータをこのパラグラフのＡ部で記したように「１１」に設定する。
【００５２】
移動装置６は、複合的なＰＤＰコンテキストを支持する場合、または既にＰＤＰコンテキストが存在しない場合、このＰＤＰコンテキストを起動させる。
【００５３】
図２は、本発明の本実施例による方法の主要な段階を示している。
ＵＩＣＣ（汎用集積回路カード）４は、「ＰＤＰコンテキスト設定」指定を移動装置（ＭＥ）６に送信している（矢印２０）。
【００５４】
前記特定の指令を受信すると、移動装置６は、ＰＤＰコンテキスト要請を前記特定の指令に受信されたパラメータとともにネットワークへ送信する（矢印２２）。
【００５５】
前記ＰＤＰコンテキスト要求を受信すると、ネットワークは、ＰＤＰコンテキスト起動の確認を移動装置６に送信する（矢印２４）。
【００５６】
移動装置６は、前記確認をＵＩＣＣ（汎用集積回路カード）４へ前記確認を転送する（矢印２６）。
【００５７】
図３は、ＵＩＣＣのアプリケーションのための「常にオン」のＰＤＰコンテキストをもつ発明の実施の主要な段階を示している。
【００５８】
ＰＤＰコンテキスト状態のいかなる変化も移動装置（ＭＥ）６によって知らされるため、ＵＩＣＣ（汎用集積回路カード）は新たなイベント登録へ登録する（矢印３０）。
【００５９】
移動装置６は、イベント登録の応答をＵＩＣＣ（汎用集積回路カード）４に送信する（矢印３２）。
【００６０】
前記応答を受信すると（または受信した後）、ＵＩＣＣ（汎用集積回路カード）４は、ＡＰＮ（アクセスポイントネーム）１データオブジェクトの「ＰＤＰコンテキストパラメータ」の「ＰＤＰコンテキスト状態」パラメータを上述の通り１１に設定する（矢印３４）。
【００６１】
段階３６で、移動装置（ＭＥ）６は、ＡＰＮ（アクセスポイントネーム）１のＰＤＰコンテキストが「常にオン」であるとして記憶し、ＡＰＮ（アクセスポイントネーム）１のＰＤＰコンテキスト起動要請をネットワークへ送信する（矢印３８）。
【００６２】
ネットワークは、移動装置（ＭＥ）６へＰＤＰコンテキスト起動の確認を送り返す（矢印４０）。
【００６３】
移動装置（ＭＥ）６は、ＵＩＣＣ（汎用集積回路カード）４へ設定ＰＤＰコンテキスト指令の確認を転送する（矢印４２）。
【００６４】
移動装置（ＭＥ）６がＰＤＰコンテキストの失われる受信範囲外へ移動したら（段階４４）、移動装置（ＭＥ）６は、イベント通知ＡＰＮ（アクセスポイントネーム）１、停止）をＵＩＣＣ（汎用集積回路カード）４へ送る（矢印４６）。
【００６５】
そして、移動装置（ＭＥ）６が受信範囲内に戻ったら（段階４８）、移動装置（ＭＥ）装置６は、ＡＰＮ（アクセスポイントネーム）１のＰＤＰコンテキスト起動要請をネットワークへ送る。
【００６６】
ネットワークは、移動装置（ＭＥ）６へＡＰＮ（アクセスポイントネーム）１のＰＤＰコンテキスト起動の確認を送る（矢印５２）。
【００６７】
移動装置（ＭＥ）６は、ＵＩＣＣ（汎用集積回路カード）４に前記確認を知らせる（矢印５４）。
【００６８】
本発明による方法は、欧州電気通信標準化機構スマートカードプラットフォーム（ＥＴＳＩ  ＳＣＰ）第７版から進歩したいかなる３ＧＰＰ無線電気通信システムにおいてもＵＩＣＣ（汎用集積回路カード）及び移動装置で実行される。
【図１】
2010537457.tif 000009
【図２】
2010537457.tif 000010
【図３】
2010537457.tif 000011
【国際調査報告】
2010537457.tif 000012